(57)【特許請求の範囲】
【請求項１】
略有底多角筒形状のヨークハウジングと、
前記ヨークハウジングの内周に取り付けられたマグネットと、
前記マグネットの内側にて前記ヨークハウジング内に回転自在に配置されるとともに、棒状のモータ軸と、前記モータ軸に固定されたアーマチュアコアと、前記アーマチュアコアに巻装されたコイル線よりなるアーマチュアコイルと、前記モータ軸に固定されるとともに、樹脂より形成されたコンミテータ本体と、前記コンミテータ本体に取り付けられた複数のセグメントと、前記セグメントに一体的に形成されるとともに前記アーマチュアコイルのコイル線が掛けられるライザとを有するコンミテータとを有するアーマチュアと、
前記コンミテータの前記セグメントに摺接する複数のブラシと、前記ブラシに一体的に接続されるとともに電源からの電流を前記ブラシに供給するピグテールと、前記ブラシが取り付けられるとともに前記ピグテールが配されるブラシ装置本体と、前記ブラシを前記セグメントに向けて付勢するバネ部材とを有するブラシ装置と、を備える直流モータにおいて、
前記コンミテータは、前記ヨークハウジングの開口側に配置されるとともに、前記セグメントが前記モータ軸に対し直交する方向に放射状に配置されたディスクタイプのコンミテータであり、
前記ブラシ装置は、前記コンミテータに近接した位置にて、前記ヨークハウジングの開口部に取り付けられ、かつ前記ブラシに対し直列に接続されるＰＴＣ素子を備え、
前記ブラシ装置の前記ブラシ装置本体は、前記セグメントに対向して配置されるとともに、前記ヨークハウジングの前記開口部を封じる隔離壁を備え、
前記隔離壁には前記ブラシが挿通する挿通孔が形成されており、前記挿通孔を挿通して配置される前記ブラシの前記セグメントとの摺接部と、前記ピグテールとは前記隔離壁を挟んで互いに反対側に配され、
かつ前記隔離壁には、前記挿通孔を囲んで前記ピグテール側に筒状に形成されるとともに、前記ブラシを直動可能に保持するブラシ保持部が設けられているとともに、前記アーマチュアの前記モータ軸の一部を軸支する軸受が取り付けられており、
さらに、前記隔離壁は、前記コンミテータとは反対側に、前記軸受を保持する軸受保持部、電子部品を保持する端子保持部、雑防素子を保持するコイル保持部、および前記ＰＴＣ素子を保持するＰＴＣ保持部を備えていることを特徴とする直流モータ。
【請求項２】
請求項１に記載された直流モータにおいて、
前記ブラシは、前記モータ軸に略平行な方向に配置されており、前記ブラシ装置本体の前記隔離壁は、前記ブラシが取り付けられる本体部と、前記本体部の外縁において前記ブラシを囲んで一体的に形成された挿入部を備え、
前記ブラシ装置本体は、前記ヨークハウジングの開口部内に挿入されるとともに前記開口部の内周に前記挿入部の外周が当接した状態で配置されることを特徴とする直流モータ。
【請求項３】
請求項２に記載された直流モータにおいて、
前記隔離壁の前記挿入部は、前記本体部において前記ブラシの前記摺接部に対し前記本体部を挟んで反対側である前記ピグテール側に一体的に形成されていることを特徴とする直流モータ。
【請求項４】
請求項１から請求項３のいずれか一つの請求項に記載された直流モータにおいて、
前記雑防素子は、前記ブラシに対し直列に接続されるチョークコイルを備えることを特徴とする直流モータ。
【請求項５】
請求項１から請求項４のいずれか一つの請求項に記載された直流モータにおいて、
前記ブラシは正極ブラシと負極ブラシから構成されるとともに、前記ブラシ装置は前記正極ブラシと前記負極ブラシに対し並列に接続されるコンデンサを備えることを特徴とする直流モータ。
【請求項６】
請求項１から請求項５のいずれか一つの請求項に記載された直流モータにおいて、
前記ブラシ装置は、電源からの電力を供給するコネクタ装置のオス端子が接続されるとともに、前記ブラシに対し直列に接続され、前記電子部品であるメス端子を備えることを特徴とする直流モータ。
【請求項７】
請求項１から請求項６のいずれか一つの請求項に記載された直流モータにおいて、
前記バネ部材は、前記ブラシ保持部内において前記ブラシの後端側に配されるとともに、一端が前記ブラシの後端に当接するコイルバネであり、
前記ブラシ装置は、前記ブラシ保持部の開口部に取り付けられるとともに、前記コイルバネの他端を支持するスプリングホルダを備えることを特徴とする直流モータ。
【請求項８】
請求項１から請求項７のいずれか一つの請求項に記載された直流モータを備えることを特徴とする減速機付き直流モータ。
【発明の詳細な説明】
【技術分野】
【０００１】
この発明は、コンミテータとブラシとで電源から供給される電流を整流する直流モータおよびこの直流モータを備える減速機付き直流モータに関し、ブラシが摺接するセグメントが放射状に配置されたディスクタイプのコンミテータが用いられた直流モータおよびこの直流モータを備える減速機付き直流モータに関する。
【背景技術】
【０００２】
一般に、特許文献１に示されるように、直流モータは、有底筒形状のヨークハウジングと、ヨークハウジングの内周に取り付けられたマグネットと、マグネットの内側にてヨークハウジング内に回転自在に配置されるアーマチュアコアと、ブラシ装置とを備える。
【０００３】
アーマチュアは、棒状のモータ軸と、モータ軸に固定されたアーマチュアコアと、アーマチュアコアに巻装されたコイル線よりなるアーマチュアコイルと、モータ軸に固定されたコンミテータとを備える。ここで、コンミテータは、円筒の樹脂部材からなるコンミテータ本体と、コンミテータ本体の外周に等ピッチに配置されたセグメントと、セグメントに一体的に形成されるとともに、アーマチュアコイルのコイル線が掛けられるライザとを有する。
【０００４】
ブラシ装置は、コンミテータのセグメントに摺接する複数のブラシと、ブラシに一体的に接続され電源からの電流をブラシに供給するピグテールと、ブラシが取り付けられるブラシ装置本体と、ブラシをセグメントに向けて付勢するバネ部材とを有する。
【０００５】
このような直流モータでは、電源からの電流の供給によりアーマチュアが回転し、この回転にともないコンミテータに摺接するブラシは摩耗する。そして、このブラシの摩耗によりブラシの摩耗粉がブラシからモータ内部に排出され、この導電性の摩耗粉がモータ内部のアーマチュアやブラシ装置に付着する。ここで、ブラシ装置には、ブラシやピグテールの他に、アーマチュアの回転により生ずる電気的なノイズを除去するためにチヨークハウジングコイルやコンデンサ等の複数の電子部品、ならびにこれらの電子部品を接続する接続部材が設けられている。
【先行技術文献】
【特許文献】
【０００６】
【特許文献１】国際公開番号ＷＯ２００８／０６２７９１号公報
【発明の概要】
【発明が解決しようとする課題】
【０００７】
しかしながら、ブラシ装置内に配されるピグテールおよび電子部品等を接続する接続部材といった導通部材には絶縁被膜などの絶縁処理がなされていない。そのため、上記の導電性の摩耗粉が導通部材に付着することにより、モータのアーマチュアコイルに適正な電流が供給されないおそれがある。
【０００８】
そこで、上記の事情に鑑み、この発明は、ブラシの摩耗粉がブラシ装置に設けられたピグテール等の導通部材に付着することのない直流モータおよびこの直流モータを用いた減速機付き直流モータを提供することを目的とする。
【課題を解決するための手段】
【０００９】
上記の課題を解決するために請求項１に記載の直流モータは、有底円筒形状のヨークハウ
ジングと、ヨークハウジングの内周に取り付けられたマグネットと、マグネットの内周にてヨークハウジング内に回転自在に配置されたアーマチュアと、アーマチュアに電源からの電流を供給するブラシ装置を備える。
【００１０】
アーマチュアは、棒状のモータ軸と、モータ軸に固定されたアーマチュアコアと、モータ軸に固定されるとともに、樹脂より形成されたコンミテータと、コンミテータ本体に取り付けられた複数のセグメントと、セグメントに一体的に形成されるとともにアーマチュアコイルのコイル線が掛けられるライザとを有する。
【００１１】
ブラシ装置は、セグメントに摺接する複数のブラシと、ブラシに一体的に接続されるとともに電源からの電流をブラシに供給するピグテールと、ブラシ取り付けられるとともにピグテールが配されるブラシ装置本体と、ブラシをセグメントに向けて付勢するバネ部材とを有する。
【００１２】
そして、コンミテータは、ヨークハウジングの開口側に配置されるとともに、セグメントがモータ軸に対し直交する方向に放射状に配置されたディスクタイプのコンミテータである。また、ブラシ装置は、コンミテータに近接した位置にて、ヨークハウジングの開口部に取り付けられ、かつ前記ブラシに対し直列に接続されるＰＴＣ素子を備え、ブラシ装置のブラシ装置本体は、セグメントに対向して配置されるとともに、ヨークハウジングの開口部を封じる隔離壁を備え、隔離壁にはブラシが挿通する挿通孔が形成されており、挿通孔を挿通して配置されるブラシのセグメントとの摺接部と、ピグテールとは隔離壁を挟んで互いに反対側に配され、かつ前記隔離壁には、前記挿通孔を囲んで前記ピグテール側に筒状に形成されるとともに、前記ブラシを直動可能に保持するブラシ保持部が設けられているとともに、前記アーマチュアの前記モータ軸の一部を軸支する軸受が取り付けられており、さらに、前記隔離壁は、前記コンミテータとは反対側に、前記軸受を保持する軸受保持部、電子部品を保持する端子保持部、雑防素子を保持するコイル保持部、および前記ＰＴＣ素子を保持するＰＴＣ保持部を備えている。
【００１３】
ここで、コンミテータのセグメントと、このセグメントに摺接するブラシとの摩擦接触により、セグメントに摺接するブラシの摺接部からは摩耗粉が排出される。しかし、請求項１に記載の直流モータによれば、この摩耗粉が排出されるブラシの摺接部と、導通部材であるピグテールとの間には、両者を隔離する隔離壁が形成されている。そして、この隔離壁は、コンミテータが配置されるヨークハウジングの開口側において開口部を封じている。そのため、ブラシから排出された摩耗粉は、ブラシの摺接部に対し隔離壁を挟んだ反対側に排出されることがない。そのため、ブラシの摩耗粉がブラシ装置に設けられ、ブラシの摺接部に対し隔離壁を挟んだ反対側に配されたピグテール等の導通部材に付着することがない。
【００１４】
また、請求項１に記載の直流モータによれば、この直流モータに備わるコンミテータは、セグメントがモータ軸に対し直交する方向に放射状に配置されたディスクタイプのコンミテータである。
【００１５】
ディスクタイプのコンミテータは、セグメントがモータ軸に直交する方向に放射状に配置されているため、各セグメントのモータ軸に直交する方向（半径方向）の長さを長くすることにより、ブラシと摺接する部分の長さ（摺接長さ）を長くすることができる。そして、この摺接長さを長くすることにより、セグメントに摺接するブラシの摺接幅を大きくすることができる。このように、ブラシの摺接幅を大きくし、ブラシの断面積を大きくすることができれば、ブラシとセグメントとの面圧を小さくすることができ、ブラシが摩耗する速度を遅くすることができブラシの耐久性を向上することができる。さらに、ブラシの断面積を大きくすることができれば、ブラシ自体の電気抵抗を少なくすることができ、モータ効率の向上に寄与することができる。
【００１６】
ここで、ディスクタイプのコンミテータの場合、セグメントに摺接するブラシをモータ軸に直交する方向（半径方向）ではなく、モータ軸の軸方向に（モータ軸方向）に配置することができる。そのため、ブラシが半径方向においてブラシの外側に配置されないため、各セグメントを半径方向に長くすることが容易である。従って、ディスクタイプのコンミ
テータは、セグメントのブラシと摺接する部分の長さを長くすることが可能であり、断面積（接触幅）の大きいブラシを用いることが可能である。そのため、ブラシの耐久性を向上するとともにモータ効率を向上することができる。
【００１７】
請求項２に記載の直流モータは、請求項１に記載の直流モータにおいて、ブラシはモータ軸に略平行な方向に配置されている。また、ブラシ装置本体の隔離壁は、ブラシが取り付けられた本体部と、この本体部の外縁においてブラシを囲んで一体的に形成された挿入部を備える。そして、ブラシ装置本体は、ヨークハウジングの開口部内に挿入されるとともに開口部の内周に挿入部の外周が当接した状態で配置される。
【００１８】
請求項２に記載の直流モータによれば、ブラシ装置本体の隔離壁はブラシが取り付けられた本体部と、この本体部の外縁において一体的に形成された挿入部を備え、ブラシ装置本体はヨークハウジングの開口部内に挿入される。そして、挿入されたブラシ装置本体において、挿入部の外周はヨークハウジングの開口部の内周に当接した状態となる。
【００１９】
このように、摩耗粉を排出するブラシの摺接部と、導通部材であるピグテールとを隔てる隔離壁において、本体部の外縁に一体的に形成された挿入部の外周がヨークハウジングの開口部の内周に当接した状態となる。また、挿入部の形状はヨークハウジングの内周の形状に合わせ両者を緊密に密接させることが可能であるとともに、挿入部の軸方向の長さを長くすることにより、両者の当接面積を増加させることも容易である。そのため、隔離壁とヨークハウジングとの間の密閉性を容易に向上させることができ、ブラシから排出された摩耗粉が導通部材であるピグテール側に排出されることを効果的に抑止することができる。
【００２０】
また、請求項２に記載の直流モータによれば、ヨークハウジング内に挿入されるブラシ装置本体の挿入部はブラシを囲んで形成されており、挿入部に囲まれるブラシはモータ軸に略平行な方向に配置されている。ブラシがモータ軸に略平行な方向に配置されることにより、ブラシはモータ軸まわりにコンパクトな位置にレイアウトすることができ、このブラシを囲む挿入部もモータ軸まわりにコンパクトな形状となる。このように、隔離壁の挿入部がモータ軸まわりにコンパクトな形状となることにより、ヨークハウジングの開口部内に挿入されるブラシ装置本体もモータ軸まわりにコンパクトな形状となる。
【００２１】
そのため、ブラシ装置本体が挿入されるヨークハウジングの開口部を小さくすることができ、ヨークハウジングにおいてマグネットが取り付けられる部分の外径に対し、ブラシ装置本体が取り付けられる部分の外径を大きくする必要がなくなる。これにより、ヨークハウジングの側面形状をモータ軸方向に凸部のないストレートな形状とすることができ、例えば、ヨークハウジングが絞り加工により製造される場合、この製造工程を簡略化することができヨークハウジングを低コストに製造することができる。
【００２２】
さらに、請求項１２に記載の減速機付き直流モータは、少なくとも請求項１または請求項２に記載された直流モータを備えた減速機付き直流モータである。
【発明の効果】
【００２３】
本発明によれば、ブラシの摩耗粉がブラシ装置に設けられたピグテール等の導通部材に付着することのない直流モータおよびこの直流モータを用いた減速機付き直流モータを提供することができる。
【図面の簡単な説明】
【００２４】
【図１】本発明の実施の形態における減速機付き直流モータを示す斜視図である。
【図２】本発明の実施の形態における減速機付き直流モータを示す展開正面図である。
【図３】本発明の実施の形態における直流モータを示す断面図である。
【図４】本発明の実施の形態における直流モータのブラシ装置を示す斜視図である。
【図５】本発明の実施の形態における直流モータのブラシ装置を示す斜視図である。
【図６】本発明の実施の形態における直流モータのブラシ装置を示す正面図である。
【図７】図６にてA−A断面にて示される断面図である。
【発明を実施するための形態】
【００２５】
次に、図１および図２に基づき、本発明の実施の形態である減速機付き直流モータについて説明する。
【００２６】
減速機付き直流モータ１は、伝達部材１６が取り付けられたモータ軸４１を備える直流モータ１０と、電源からの電流を直流モータ１０に供給するコネクタ装置２０と、出力ギヤ３２が取り付けられた出力軸３１を備える減速機３０と、を備える。そして、減速機付き直流モータ１は、例えば、自動車のパワーウィンドウ用の駆動装置として用いられる。
【００２７】
コネクタ装置２０は、自動車内に配策されている電源線の端部に設けられているカプラが接続され、電源（バッテリー）からの電流が供給されるコネクタ部２２と、直流モータ１０と減速機３０に挟持されることにより直流モータ１０に取り付けられる本体部２１と、コネクタ部２２に電気的に接続されるとともに、直流モータ１０に電気的かつ機械的に接続され、直流モータ１０に電源からの電流を供給するオス端子（２３，２４）を備える。
【００２８】
減速機３０は、ウォーム軸（図示せず）およびウォームホイール（図示せず）と、ウォームホイール（図示せず）に取り付けられた出力軸３１と、ウォーム軸（図示せず）およびウォームホイール（図示せず）ならび出力軸３１が取り付けられているハウジング３３とを備える。直流モータ１０のモータ軸４１に取り付けられた伝達部材１６は、ウォーム軸（図示せず）に機械的に接続される。
【００２９】
次に、図３に基づき、本発明の実施の形態である直流モータについて説明する。
【００３０】
直流モータ１０は、有底筒形状のヨークハウジング１１と、ヨークハウジング１１の内周に取り付けられたマグネット１２と、マグネット１２の内側にてヨークハウジング１１内に回転自在に配置されたアーマチュア４０と、アーマチュア４０に備わるコンミテータ４６に近接した位置にて、ヨークハウジング１１の開口部１１ａに取り付けられたブラシ装置と、を備える。
【００３１】
アーマチュア４０は、棒状のモータ軸４１と、モータ軸４１に固定されたアーマチュアコア４２と、アーマチュアコア４２の端面にそれぞれ取り付けられたインシュレータ（４３，４４）と、インシュレータ（４３，４４）の外側からアーマチュアコア４２に巻装されたコイル線ＭＷよりなるアーマチュアコイル４５と、モータ軸に固定されたコンミテータ４６と、を備える。
【００３２】
コンミテータ４６は、樹脂より形成されたコンミテータ本体４７と、コンミテータ本体４７の端面に取り付けられた複数のセグメント４８と、各セグメントに一体的に形成されるとともにアーマチュアコイル４５のコイル線ＷＭが掛けられるライザ４９と、を備える。上記のように、コンミテータ４６は、各セグメント４８がコンミテータ本体４７の端面に、モータ軸４１に対し直交する方向に配置されたディスクタイプのコンミテータとなっている。また、コンミテータ４６は、ヨークハウジング１１の開口側に配置されている。
【００３３】
ヨークハウジング１１の底部には、スラストプレート１３が設けられているとともに、凹
部にスチールボール１５を配した含浸メタル１４が、底部の内壁に圧入にてとりつけられている。また、ブラシ装置５０にも、ヨークハウジング１１の底部と同様に軸受としてのメタル５８が設けられている。そして、アーマチュア４０は、含浸メタル１４およびメタル５８によって、ヨークハウジング１１内に軸支されている。
【００３４】
次に、図４から図７に基づき、本実施の形態のブラシ装置５０について説明する。図４から図７において、図４はブラシ装置５０の斜視図であり、図５は図４においてＡ方向から見たブラシ装置５０の斜視図である。また、図６は図４においてＡ方向から見たブラシ装置５０の正面図であり、図７は図６にてＢ−Ｂ断面で示されるブラシ装置５０の断面図である。
【００３５】
ブラシ装置５０は、樹脂より形成されたブラシ装置本体５１と、ブラシ装置本体５１に取り付けられたブラシ（５２，５３）と、ブラシ（５２，５３）に一体的に接続されるとともにブラシ装置本体５１に配されるピグテール（５２ａ，５３ａ）と、ブラシ装置本体５１に配置される複数の電子部品（６１〜６７）と、複数の電子部品（６１〜６７）を接続する接続部材（６９〜７２）と、を備える。また、ブラシ装置５０は、ブラシ（５２，５３）をセグメント４８に向けて付勢するバネ部材としてのコイルバネ（５４，５５）、およびコイルバネ（５４，５５）を支持するスプリングホルダ（５６，５７）を備える。
【００３６】
ブラシ装置本体５１は、略有底筒形状の隔離壁５１ａと、隔離壁５１ａにそれぞれ一体的に形成された軸受保持部５１ｂ、ブラシ保持部（５１ｃ，５１ｄ）、端子保持部（５１ｅ，５１ｆ）、コイル保持部（５１ｇ，５１ｈ）、ＰＴＣ保持部５１ｉを備える。
【００３７】
隔離壁５１ａは、ブラシ（５２，５３）が挿通する挿通孔（５１ｋ，５１ｌ）が形成された略板形状の本体部５１ａ１と、本体部５１ａ１の外縁にて一体的に形成された挿入部５１ａ２と、を備え、挿通孔（５１ｋ，５１ｌ）を挿通して配置されるブラシ（５２，５３）におけるセグメント４８との摺接部（５２ｂ，５３ｂ）と、ピグテール（５２ａ，５３ａ）とは、隔離壁５１ａの本体部５１ａ１を挟んで互いに反対側に配置される。
【００３８】
ブラシ装置本体５１に備わるブラシ保持部（５１ｃ，５１ｄ）は、隔離壁５１ａの本体部５１ａ１において、挿通孔（５１ｊ，５１ｋ）を囲んでピグテール（５２ａ，５３ａ）側に筒状に形成されるとともにブラシ（５２，５３）を直動可能に保持する。そして、ブラシ（５２，５３）を付勢するコイルバネ（５４，５５）は、ブラシ保持部（５１ｃ，５１ｄ）内においてブラシ（５２，５３）の後端（５２ｃ，５３ｃ）側に配されるとともに、一端がブラシ（５２，５３）の後端（５２ｃ，５３ｃ）に当接する。また、スプリングホルダ（５６，５７）は、ブラシ保持部（５１ｃ，５１ｄ）の開口部に取り付けられるとともに、コイルバネ（５４，５５）の他端を支持し、スプリングホルダ（５６，５７）によりコイルバネ（５４，５５）はセグメント５８に付勢される。
【００３９】
ブラシ保持部（５１ｃ，５１ｄ）は本体部５１ａ１に略垂直に立設して形成され、ブラシ保持部（５１ｃ，５１ｄ）に保持されるブラシ（５２，５３）は本体部５１ａ１に対して略垂直に配置される。
【００４０】
上記の挿入部５１ａ２は、本体部５１ａ１に外縁においてブラシ（５２，５３）を囲んで形成され、この形成される方向は、ブラシ（５２，５３）の摺接部（５２ｂ，５３ｂ）を挟んで反対側であるピグテール（５２ａ，５３ａ）側である。そして、図３に示すように、ブラシ装置本体５１の隔離壁５１ａは、本体部５１ａ１がセグメント４８に対向して配置される位置にてヨークハウジング１１の開口部１１ａ内に挿入されるとともに、開口部１１ａの内周に挿入部５１ａ２の外周が当接した状態で配置される。このような配置状態においてブラシ（５２，５３）は、モータ軸４１に対し略平行な方向に配置される。
【００４１】
次に、ブラシ装置５０に、電子部品（６１〜６７）および複数の電子部品（６１〜６７）を接続する接続部材（６９〜７２）、ならびに電子部品（６１〜６７）を保持する各保持部（５１ｅ，５１ｆ，５１ｇ，５１ｈ，５１ｉ）に、主に図７に基づき説明する。
【００４２】
電子部品（６１〜６７）は、コネクタ装置２０のオス端子（２３，２４）がそれぞれ接続されるメス端子（６１，６２）、コア部材６３ｂに巻きつけられたコイル６３ａを有するチョークコイル６３、コア部材６４ｂに巻きつけられたコイル６４ａを有するチョークコイル６４、およびコンデンサ（６５，６６）から構成され、これらの電子部品（６１〜６７）は、ブラシ装置本体５１において挿入部５１ａ２内に配置されている。
【００４３】
メス端子６１は、本体部５１ａ２に一体形成された筒形状の端子保持部５１ｅ内に配置され、チョークコイル６２は、同じく本体部５１ａ２に一体形成された筒形状のコイル保持部５１ｇ内に配置される。そして、チョークコイル６３の一端は、ブラシ５３に接続されたピグテール５３ａに止め輪６８ａにより接続され、チョークコイル６３の他端は、板状の接続部材６９によりメス端子６１に接続される。
【００４４】
また、メス端子６２は、本体部５１ａ２に一体形成された筒形状の端子保持部５１ｆ内に配置され、チョークコイル６４は、同じく本体部５１ａ２に一体形成された筒形状のコイル保持部５１ｈ内に配置され、ＰＴＣ素子６７は、同じく本体部５１ａ２に一体形成された板形状のＰＴＣ保持部５１ｉ内に配置される。そして、チョークコイル６４の一端は、ブラシ５２に接続されたピグテール５２ａに止め輪６８ｂにより接続され、チョークコイル６４の他端は、ＰＴＣ素子６７の端子６７ｂにクリップ形状の接続部材７２により接続され、メス端子６２はＰＴＣ素子６７の端子６７ａにスポット溶接により接続される。
【００４５】
コンデンサ６５とコンデンサ６６とはそれらの一方の端子が板状の接続部材７０により直列に接続され、コンデンサ６５の他方の端子は、接続部材６９によりチョークコイル６３およびメス端子６１に接続され、コンデンサ６６の他方の端子は、接続部材７１によりチョークコイル６４に接続される。
【００４６】
本実施の形態では、アーマチュアコイル４５へ供給される電流が過電流となるのを防止する手段として、ＰＴＣ素子６７を用いているが、サーキットブレーカであってもよい。
【符号の説明】
【００４７】
１  減速機付き直流モータ
１０  直流モータ
１１  ヨークハウジング
１１ａ  開口部
１２  マグネット
２０  コネクタ装置
３０  減速機
４０  アーマチュア
４１  モータ軸
４５  コイル
４６  コンミテータ
４７  コンミテータ本体
４８  セグメント
４９  ライザ
５０  ブラシ装置
５１  ブラシ装置本体
５１ａ  隔離壁
５１ａ１  本体部
５１ａ２  挿入部
５１ｂ  軸受保持部
５１ｃ，５１ｄ  ブラシ保持部
５１ｅ，５１ｆ  端子保持部
５１ｇ，５１ｈ  コイル保持部
５１ｉ  ＰＴＣ保持部
５１ｊ  挿入孔
５１ｋ  挿入孔
５２，５３  ブラシ
５２ａ，５３ａ  ピグテール
５２ｂ，５２ｂ  摺接部
５２ｃ，５３ｃ  後端
５４，５５  バネ部材（コイルバネ）
５６，５７  スプリングホルダ
５８  メタル（軸受）
６１，６２  メス端子（電子部品）
６３，６４  チョークコイル（雑防素子）
６５，６６  コンデンサ（電子部品）
６７  ＰＴＣ素子
６７ａ  端子
６７ｂ  端子
６８ａ  止め輪
６８ｂ  止め輪
６９，７０，７１，７２  接続部材
ＭＷ  コイル線
【図１】
0005840412.tif 000002
【図２】
0005840412.tif 000003
【図３】
0005840412.tif 000004
【図４】
0005840412.tif 000005
【図５】
0005840412.tif 000006
【図６】
0005840412.tif 000007
【図７】
0005840412.tif 000008